(57)【特許請求の範囲】
【請求項１】
前方端に形成される商品前倒れ防止部と、商品仕切部と、商品陳列用棚板の前方部に係脱可能な係合部と、を有し、
更に、前記商品仕切部の後方に取り付けられる、前記商品仕切部に係脱可能なキャップ部と、棚板の横方向に沿って形成した振れ止め用レールの係合溝に係脱可能で片面又は両面に複数の突状係止部を有する係合片を備える後方係合部を有し、該後方係合部は該キャップ部の後部に、係合片が後方へ延出するように固定されることを特徴とする陳列棚用仕切板。
【発明の詳細な説明】
【０００１】
【発明の属する技術分野】
本発明は、スーパーマーケットやドラッグストア等において、陳列棚の陳列商品の仕切に用いられる陳列棚用仕切板に関し、更に詳しくは、商品の落下を防止し、且つ、奥行き寸法の異なる種々の陳列棚に使用できる陳列棚用仕切板に関する。
【０００２】
【従来の技術】
従来、スーパーマーケットやドラッグストア等において、陳列棚の陳列商品の仕切りに用いられる陳列棚用仕切板は、図９に示すように、棚板本体１０１の前端面に取り付けられた陳列棚用表示具２０の係合溝８０に係合する係合部７０１と棚板の奥行き寸法にほぼ等しい一定の長さ寸法を有する商品仕切部７０２とから形成されている。また、陳列棚用表示具を取り付けない場合、係合部７０１は棚板本体１０１の前端面に形成される係合溝１０３に係合するように取り付けられている。
【０００３】
また、店内には、陳列棚の大きさ、特に奥行き寸法が異なる何種類もの陳列棚を備えており、これらに使用される陳列棚用仕切板は、それぞれの棚板寸法に応じたものが使用されている。
【０００４】
【発明が解決しようとする課題】
しかしながら、上記のような従来の陳列棚用仕切板の棚板本体の前端面に取り付けられる係合部は、陳列棚用表示具の係合溝に係合する係合機能にのみ着目したものであり、商品の前倒れ防止について十分配慮されたものとは言えない。また、一方では、従来の陳列棚用仕切板では寸法の異なる棚板には転用出来ないため、陳列商品の変動等に伴う仕切板の在庫管理を陳列棚毎にする必要がある。このため、必要以上の個数を確保することから経費の上昇、管理の煩雑さ等の問題を生じている。
【０００５】
従って、本発明の目的は、商品のこぼれ又は前倒れを防止することができると共に、奥行き寸法の長い陳列棚用仕切板を奥行き寸法の短い陳列棚にも転用出来ること、更に、数mm〜数cmのわずかな奥行き寸法の異なる陳列棚用に調整可能な陳列棚用仕切板を提供することにある。
【０００６】
【課題を解決するための手段】
かかる実情において、本発明者は、鋭意検討を行った結果、本発明を完成するに至った。すなわち、本発明は、前方端に形成される商品前倒れ防止部と、商品仕切部と、商品陳列用棚板の前方部に係脱可能な係合部と、を有し、更に、前記商品仕切部の後方に取り付けられる、前記商品仕切部に係脱可能なキャップ部と、棚板の横方向に沿って形成した振れ止め用レールの係合溝に係脱可能で片面又は両面に複数の突状係止部を有する係合片を備える後方係合部を有し、該後方係合部は該キャップ部の後部に、係合片が後方へ延出するように固定される陳列棚用仕切板を提供することにある。上記構成を採ることにより、商品陳列棚の種類を問わず、商品陳列棚上に陳列された商品のこぼれや落下がなくなり、見栄えがよく又商品の管理がやり易くなる。また、奥行き寸法の短い陳列棚に使用する場合は、まず、新たな寸法に相当する位置の割れ溝で仕切板を２つに切除し、次いで割れ部に生じるバリを覆うため、保護キャップを付け替えることにより奥行き寸法の短い陳列棚用仕切板を得ることができる。また、数ｍｍ〜数ｃｍのわずかな奥行き寸法差に対して調整が可能である。
【０００７】
また、本発明は、前記係合部が、商品陳列棚の前方に該棚板の横方向に沿って形成した係合溝に係脱可能に係合する陳列棚用仕切板を提供することにある。上記構成を採ることにより、商品陳列棚の前方に該棚板の横方向に沿って形成した係合溝を有する商品陳列棚において、商品陳列棚上に陳列された商品のこぼれや落下がなくなり、見栄えがよく又商品の管理がやり易くなる。
【００１０】
【発明の実施の形態】
（第１の実施の形態）
本発明の第１の実施の形態について、図１を参照して説明する。なお、当該第１の実施の形態及び第２の実施の形態は、本発明の参考例となるものである。図１は本発明の第１の実施の形態における陳列棚用仕切板を棚板に装着する状態を示す一部の斜視図である。図１において、１０２は厚さ１０ｍｍ程度のガラスの平板からなる商品陳列棚であり、１０ａは棚板１０２に装着される陳列棚用仕切板であり、この陳列棚用仕切板１０ａは、商品前倒れ防止部１、商品仕切部２及び商品陳列棚１０２の前方端１０２ａに係合する係合部３を有する。商品前倒れ防止部１は前方視、略正方形状であり、図では省略する比較的小さな箱状の商品の前倒れ防止に適するものである。また、係合部３は商品前倒れ防止部１と連接され他端が棚板１０２の裏面から後方へ延出する断面形状が略Ｌ字状である。かかる陳列棚用仕切板１０ａを棚板１０２に設置するには、棚板１０２の前方より陳列棚用仕切板１０ａを嵌め込むようにして取り付ける。これを前後に整然と並ぶ陳列商品を横から挟むように更にもう一個取り付ければよい。本発明の第１の実施の形態によれば、ガラス棚板上の商品のこぼれや落下がなくなり、見栄えがよく又商品の管理がやり易くなる。
【００１１】
（第２の実施の形態）
本発明の第２の実施の形態について、図２〜図４を参照して説明する。
図２は本発明の第２の実施の形態における陳列棚用仕切板の斜視図を示し、図３は本発明の陳列棚用仕切板に使用される保護キャップの正面図を示し、図４は図３の平面図を示す。図２において、本発明の陳列棚用仕切板１０ｂは、陳列棚前方に位置し横方向に沿って形成された係合溝（図９における番号８０又は１０３に相当）に係脱可能な係合部３と、縦に長い板状の商品前倒れ防止部１と、商品仕切部２とからなる。商品仕切部２には、前方端より１５０mm、２００mm、２２０mmの位置に、縦方向の割れ溝３ａ、３ｂ、３ｃが両面に形成され、該割れ溝のやや前方の上下辺には、保護キャップ４の脱落防止のために２箇所のくびれ部５ａ、５ｂ、５ｃが形成されている。また、後方端には、保護キャップ４がくびれ部に嵌合している。また、更に、商品仕切部２には、所定の位置に寸法数字１５０、２００、２２０が印刷されている。図２〜図４において、保護キャップは、商品仕切部２のくびれ部に形成される突起５１に嵌合する嵌合溝６ａ、６ｂを有した袋構造となっている。
【００１２】
本発明の第２の実施の形態における陳列棚用仕切板を奥行き寸法が２００mmの棚板に使用する場合について説明する。図２において、商品仕切部２を両手で摘み、割れ溝３ｂを中心に２つに割る。次いで捨て板に取り付けられている保護キャップ４を抜き取り、割れ口に発生するバリを覆うため割り口から該保護キャップ４を取り付け、奥行き寸法２００mmの陳列用仕切板を得る。かかる陳列用仕切板は、従来と同様、例えば、図９に示すような陳列棚１０１で使用される。
【００１３】
（第３の実施の形態）
本発明の第３の実施の形態について、図５〜図８を参照して説明する。
図５は本発明の第３の実施の形態における陳列棚用仕切板の正面図であり、図６は、図５の陳列棚より長い陳列棚用に調整した陳列棚用仕切板の一部を示す正面図であり、図７は本発明の陳列棚用仕切板に使用される後方係合部の斜視図であり、図８は前記後方係合部が振れ止め用レールに係合する状態を示す一部の断面図である。図５〜図８について、図１及び図２と同一構成要素には同一の符号を付してその説明を省略し、異なる点について主に述べる。すなわち、図５において、商品前倒れ防止部及びガラス板状棚板に係合する係合部は図１と同様で、後方係合部７が図２における保護キャップに、振れ止め用レール４０の係合溝４０１に下面の突状係止部７５で係合する係合部７３を連結部７２を介して形成した点が主に異なる。そして、図６及び図７に示すように、後方係合部７の係合部下面には、６つの溝より１つの山の高さが約１mmの突状係止部７５が形成されている。
【００１４】
本発明の陳列棚用仕切板を奥行き寸法が更に約５mm長い棚板に使用する場合について説明する。図５において、陳列棚用仕切板は突状係止部７５に形成される溝のうち、先端より６番目の溝と振れ止め用レールの係合部４０１ａが係合し、使用されている。振れ止め用レールの係合溝４０１は断面がコ字状４０２を形成し、材料の弾性による復元力で突状係止部７５を挟み込む構造となっている。次に、陳列棚用仕切板を振れ止め用レールより取り外し、新しい陳列棚に取り付ける。この時、図６に示すように、突状係止部７５に形成される溝のうち、先端より３番目の溝と振れ止め用レールの係合部４０１ａが係合するようにすればよい。この第３の実施の形態における陳列棚用仕切板によれば、数mm〜数cmのわずかな奥行き寸法差に対して調整が可能である。
【００１５】
本発明の陳列棚用仕切板が適用される商品陳列用棚板としては、ガラス板状、金属板状及び陳列棚用表示具が取り付けられた棚板等が挙げられる。また、商品陳列棚の前方に棚板の横方向に沿って形成した係合溝としては、例えば、棚板本体の前端部の棚板全巾の亘って形成される係合溝及び棚板本体の前端部に取り付けられた陳列棚用表示具等に形成される係合溝等が挙げられる。
【００１６】
本発明の陳列棚用仕切板の材質としては、特に制限されず、現在使用されている公知の材質でよく、例えばポリスチレン樹脂、アクリル樹脂等が挙げられる。
【００１７】
本発明において、商品仕切部に形成された割れ溝は、縦方向に形成されていれば、溝の種類、形状、巾及び形成箇所等は特に制限されないが、材質としてポリスチレン樹脂を用いた場合、商品仕切板の両面に、巾０．３〜１．０mm、深さ０．１〜０．５mmの断面がＵ字型の溝とするのが、外観上の見栄え、強度及び人の手により割ること等の面から好ましい。
【００１８】
また、上記割れ溝を形成する場所は、特に制限されないが、例えば、長さ３００mmの陳列棚用仕切板の場合、前方端より２５０mm、２００mm、１５０mm等店内で使用する陳列棚の寸法に相当する位置に形成することが好ましい。
【００１９】
また、本発明の前方端に形成される商品前倒れ防止部の形状としては、特に制限されず、陳列される商品の大きさ、形状等により異なるが、前方視、横長の四角形状から縦長の四角形状、半円状又は半楕円状まで、巾広い形状の範囲において適宜選択すればよい。また、本発明で使用される後方仕切部の連結部の形状としては、特に制限されず、三角板、四角板。楕円板等が使用できる。
【００２０】
また、本発明において、商品前倒れ防止部、商品仕切部及び商品陳列用棚板の前方部に係脱可能な係合部は、一体成形されたものが好ましいが、これに限定されず、例えば、各部材を別々に成形し、これを組み立てる構造としてもよい。この場合、各部材は部材同士を結合する係合構造を有する構造とすればよい。
【００２１】
【発明の効果】
本発明によれば、商品陳列棚の種類を問わず、商品陳列棚上に陳列された商品のこぼれや落下がなくなり、見栄えがよく又商品の管理がやり易くなる。更に、簡単な方法で奥行き寸法の異なる陳列板に転用出来るため、コストの上昇を抑えることができる。
【図面の簡単な説明】
【図１】本発明の第１の実施の形態における陳列棚用仕切板の斜視図である。
【図２】本発明の第２の実施の形態における陳列棚用仕切板の斜視図である。
【図３】図２の陳列棚用仕切板に取り付けられる保護キャップの正面図である。
【図４】図２の陳列棚用仕切板に取り付けられる保護キャップの平面図である。
【図５】本発明の第３の実施の形態における陳列棚用仕切板の正面図である。
【図６】図５の陳列棚より長い陳列棚用に調整した陳列棚用仕切板の一部を示す正面図である。
【図７】図５の陳列棚用仕切板に使用される後方係合部の斜視図である。
【図８】図５で使用される後方係合部が振れ止め用レールに係合する状態を示す一部の断面図である。
【図９】従来の陳列棚用仕切板の使用態様を示した斜視図である。
【符号の説明】
１                      商品前倒れ防止部
２                      商品仕切部
３、７３                係合部
３ａ、３ｂ、３ｃ        割れ溝
４                      保護キャップ
５ａ、５ｂ、５ｃ        くびれ部
６ａ、６ｂ              嵌合溝
７                      後方係合部
１０ａ、１０ｂ、１０ｃ  陳列棚用仕切板
４０                    レール
５１                    突起
７１                    キャップ部
７２                    連結部
７５                    突状係止部
１０２                  ガラス棚板
４０１                  係合溝
【図１】
0003982721.tif 000002
【図２】
0003982721.tif 000003
【図３】
0003982721.tif 000004
【図４】
0003982721.tif 000005
【図５】
0003982721.tif 000006
【図６】
0003982721.tif 000007
【図７】
0003982721.tif 000008
【図８】
0003982721.tif 000009
【図９】
0003982721.tif 000010